(57)【要約】【課題】電動機の輸送保護のために必要な輸送保護装置をなるべく少ない材料で実現して、省資源とコスト低減を図る。【解決手段】側面にくぼみ３０が形成された水平に延びる回転軸１１と、軸受１２と、軸受１２を支持するブラケット１３と、ブラケット１３に取り付けられて回転軸１１が貫通する外側油切り１５と、を備えた電動機に、電動機輸送保護装置２１が、着脱可能に取り付けられる。電動機輸送保護装置２１は、外側油切り１５に取り付けられてねじ棒貫通孔２７が形成された取り付け部材２２と、ねじ棒貫通孔２７を貫通するねじ棒２３と、ねじ棒貫通孔２７にねじ棒２３を貫通させてねじ棒２３の先端を回転軸１１のくぼみ３０に押し当てることにより回転軸１１の回転を阻止する状態で取り付け部材２２に対してねじ棒２３を固定可能なねじ棒固定部材２４と、を有する。【選択図】図１
2014204594.tif 000002
【特許請求の範囲】
【請求項１】
側面にくぼみが形成された水平に延びる回転軸と、前記回転軸を回転支持する軸受と、前記軸受を支持するブラケットと、前記ブラケットに取り付けられて前記回転軸が貫通する外側油切りと、を備えた電動機に着脱可能に取り付けられる電動機輸送保護装置であって、
前記外側油切りに着脱可能に取り付けられてねじ棒貫通孔が形成された取り付け部材と、
前記ねじ棒貫通孔を貫通するねじ棒と、
前記ねじ棒貫通孔に前記ねじ棒を貫通させて前記ねじ棒の先端を前記回転軸のくぼみに押し当てることにより前記回転軸の回転を阻止する状態で前記取り付け部材に対して前記ねじ棒を一時的に固定可能なねじ棒固定部材と、
を有することを特徴とする電動機輸送保護装置。
【請求項２】
前記ねじ棒固定部材は、前記ねじ棒が前記ねじ棒貫通孔を貫通した状態で、前記取り付け部材をはさんで、前記ねじ棒に螺合する２個のナットを含むこと、を特徴とする請求項１に記載の電動機輸送保護装置。
【請求項３】
前記取り付け部材は、前記外側油切りの外側端部に取り付け可能であること、を特徴とする請求項１または請求項２に記載の電動機輸送保護装置。
【請求項４】
前記外側油切りに複数の取り付けボルトが貫通する取り付けボルト孔が形成されており、
前記ブラケットに前記複数の取り付けボルトが螺合する取り付けボルト受容ねじ穴が形成されており、
前記取り付け部材には、前記複数の取り付けボルトが通る取り付けボルト溝が形成されており、
前記複数の取り付けボルトを、前記取り付け部材の前記取り付けボルト溝および前記外側油切りの前記取り付けボルト孔を通して前記取り付けボルト受容ねじ穴と螺合させることにより、前記取り付け部材および前記外側油切りを前記ブラケットに固定可能に構成されていること、
を特徴とする請求項３に記載の電動機輸送保護装置。
【請求項５】
側面にくぼみが形成された水平に延びる回転軸と、
前記回転軸を回転支持する軸受と、
前記軸受を支持するブラケットと、
前記ブラケットに取り付けられて前記回転軸が貫通する外側油切りと、
前記外側油切りに着脱可能に取り付けられた電動機輸送保護装置と、
を備えた電動機であって、
前記電動機輸送保護装置は、
前記外側油切りに着脱可能に取り付けられてねじ棒貫通孔が形成された取り付け部材と、
前記ねじ棒貫通孔を貫通するねじ棒と、
前記ねじ棒貫通孔に前記ねじ棒を貫通させて前記ねじ棒の先端を前記回転軸のくぼみに押し当てることにより前記回転軸の回転を阻止する状態で前記取り付け部材に対して前記ねじ棒を一時的に固定可能なねじ棒固定部材と、
を有することを特徴とする電動機。
【請求項６】
側面にくぼみが形成された水平に延びる回転軸と、前記回転軸を回転支持する軸受と、前記軸受を支持するブラケットと、前記ブラケットに取り付けられて前記回転軸が貫通する外側油切りと、を備えた電動機の輸送方法であって、
ねじ棒貫通孔が形成された取り付け部材を前記外側油切りに取り付ける取り付け部材取り付けステップと、
前記取り付け部材取り付けステップの後に、前記取り付け部材の前記ねじ棒貫通孔にねじ棒を貫通させて前記ねじ棒の先端を前記回転軸のくぼみに押し当てることにより前記回転軸の回転を阻止する状態で前記ねじ棒を前記取り付け部材に固定する固定ステップと、
前記固定ステップの後に、前記電動機を輸送する輸送ステップと、
前記輸送ステップの後に前記電動機を設置する設置ステップと、
前記設置ステップの後に、前記ねじ棒が前記回転軸の前記くぼみに押し当てられた状態から解除する解除ステップと、
を有することを特徴とする電動機輸送方法。
【発明の詳細な説明】
【技術分野】
【０００１】
この発明は、電動機とその輸送保護装置ならびに輸送保護方法に関する。
【背景技術】
【０００２】
電動機を工場で製造した後に設置場所へ搬送するに当たり、輸送中に回転軸が回転したり振動したりしないように、回転軸を一時的に固定する必要がある（特許文献１参照）。そのために、止金を用いて回転軸をその端面から軸方向に押し付けて回転軸を固定する方法などが知られている。
【先行技術文献】
【特許文献】
【０００３】
【特許文献１】実開昭６３−１８２６６７号公報
【発明の概要】
【発明が解決しようとする課題】
【０００４】
電動機を輸送するために用いられる止金などの輸送保護装置は、電動機を設置した後は不要となり、廃棄されることが多い。そのため、廃棄される部分の材料をなるべく少なくして、無駄を減らすことが望まれている。
【０００５】
この発明は、かかる事情に鑑みてなされたものであって、その目的は、電動機の輸送保護のために必要な輸送保護装置をなるべく少ない材料で実現して、省資源とコスト低減を図ることにある。
【課題を解決するための手段】
【０００６】
上記目的を達成するために、本発明に係る電動機輸送保護装置は、側面にくぼみが形成された水平に延びる回転軸と、前記回転軸を回転支持する軸受と、前記軸受を支持するブラケットと、前記ブラケットに取り付けられて前記回転軸が貫通する外側油切りと、を備えた電動機に着脱可能に取り付けられる電動機輸送保護装置であって、前記外側油切りに着脱可能に取り付けられてねじ棒貫通孔が形成された取り付け部材と、前記ねじ棒貫通孔を貫通するねじ棒と、前記ねじ棒貫通孔に前記ねじ棒を貫通させて前記ねじ棒の先端を前記回転軸のくぼみに押し当てることにより前記回転軸の回転を阻止する状態で前記取り付け部材に対して前記ねじ棒を一時的に固定可能なねじ棒固定部材と、を有することを特徴とする。
【０００７】
また、本発明に係る電動機は、側面にくぼみが形成された水平に延びる回転軸と、前記回転軸を回転支持する軸受と、前記軸受を支持するブラケットと、前記ブラケットに取り付けられて前記回転軸が貫通する外側油切りと、前記外側油切りに着脱可能に取り付けられた電動機輸送保護装置と、を備えた電動機であって、前記電動機輸送保護装置は、前記外側油切りに着脱可能に取り付けられてねじ棒貫通孔が形成された取り付け部材と、前記ねじ棒貫通孔を貫通するねじ棒と、前記ねじ棒貫通孔に前記ねじ棒を貫通させて前記ねじ棒の先端を前記回転軸のくぼみに押し当てることにより前記回転軸の回転を阻止する状態で前記取り付け部材に対して前記ねじ棒を一時的に固定可能なねじ棒固定部材と、を有することを特徴とする。
【０００８】
また、本発明に係る電動機輸送方法は、側面にくぼみが形成された水平に延びる回転軸と、前記回転軸を回転支持する軸受と、前記軸受を支持するブラケットと、前記ブラケットに取り付けられて前記回転軸が貫通する外側油切りと、を備えた電動機の輸送方法であって、ねじ棒貫通孔が形成された取り付け部材を前記外側油切りに取り付ける取り付け部材取り付けステップと、前記取り付け部材取り付けステップの後に、前記取り付け部材の前記ねじ棒貫通孔にねじ棒を貫通させて前記ねじ棒の先端を前記回転軸のくぼみに押し当てることにより前記回転軸の回転を阻止する状態で前記ねじ棒を前記取り付け部材に固定する固定ステップと、前記固定ステップの後に、前記電動機を輸送する輸送ステップと、前記輸送ステップの後に前記電動機を設置する設置ステップと、前記設置ステップの後に、前記ねじ棒が前記回転軸の前記くぼみに押し当てられた状態から解除する解除ステップと、を有することを特徴とする。
【発明の効果】
【０００９】
この発明によれば、電動機の輸送保護のために必要な輸送保護装置を少ない材料で実現して、省資源とコスト低減を図ることができる。
【図面の簡単な説明】
【００１０】
【図１】本発明に係る電動機の一実施形態の要部正面図である。
【図２】図１のII方向矢視側面図である。
【図３】図２の取り付け部材の一つだけを取り出して示す側面図である。
【発明を実施するための形態】
【００１１】
以下、図面を参照しながら本発明に係る電動機の一実施形態について説明する。図１は、本発明に係る電動機の一実施形態の要部正面図である。図２は図１のII方向矢視側面図である。図３は、図２の取り付け部材の一つだけを取り出して示す側面図である。
【００１２】
電動機は、水平方向に延びる回転軸１１と、回転軸１１を回転支持する軸受１２とを有する。電動機は２個の軸受１２を有するが、図１には負荷側の軸受１２のみを示している。軸受１２はブラケット１３に支持され、ブラケット１３はケーシング１４の端部に取り付けられている。ブラケット１３の外側端部には外側油切り１５が取り付けられている。外側油切り１５の中央には開口があって、この開口を回転軸１１が貫通して延びている。
【００１３】
ケーシング１４の内部には、図示しない固定子が固定され、回転軸１１には図示しない回転子が固定されていて、固定子は回転子の半径方向外側を取り囲むように配置されている。
【００１４】
ブラケット１３の軸方向端部に複数の取り付けボルト受容ねじ穴１６が形成されていて、また、外側油切り１５に複数の取り付けボルト孔１７が形成されている。取り付けボルト１８を、外側油切り１５の取り付けボルト孔１７を通してブラケット１３の取り付けボルト受容ねじ穴１６にねじ込むことにより、外側油切り１５がブラケット１３に固定されている。
【００１５】
電動機輸送保護装置２１が、外側油切り１５に着脱可能に取り付けられている。図示の例では、２個の電動機輸送保護装置２１が、軸心をはさんで反対位置に取り付けられている。各電動機輸送保護装置２１は、取り付け部材２２と、取り付け部材２２に取り付けられたねじ棒２３と、２個のナット（ねじ棒固定部材）２４とを備えている。
【００１６】
取り付け部材２２は、ほぼ長方形の平板をその一辺に平行な折線で直角に折り曲げられて、長方形の第１平面部２５と長方形の第２平面部２６とが形成されている。第１平面部２５には、一つのねじ棒貫通孔２７が形成されている。第２平面部２６には、折線の反対の辺に向かって延びてその辺で開いた溝（スロット）２８が、２個、互いに平行に配置されている。
【００１７】
取り付け部材２２は、外側油切り１５の外側端部に取り付けられる。このとき、第２平面部２６の取り付け部材２２の折線に対して外側の面が外側油切り１５の外側端部に押し付けられるように配置され、第１平面部２５が回転軸１１から遠い側に位置するような向きとする。これにより、第１平面部２５は、回転軸１１の外側油切り１５から突出した部分と対向する位置になっている。
【００１８】
２本の取り付けボルト１８が、第２平面部２６の溝２８および外側油切り１５の取り付けボルト孔１７を通って、ブラケット１３の取り付けボルト受容ねじ穴１６に挿入されて、ねじ込まれる。これにより、取り付け部材２２が外側油切り１５およびブラケット１３に固定される。
【００１９】
取り付け部材２２を取り付ける前に、取り付けボルト１８によって外側油切り１５がブラケット１３に取り付けられている。そして、取り付け部材２２を取り付ける際は、取り付けボルト１８を緩めて、取り付け部材２２を回転軸の半径方向外側から内側に向けてスライドさせ、取り付け部材２２の溝２８で各取り付けボルト１８を挟み込むようにして取り付け部材２２を取り付けることができる。
【００２０】
電動機の設置後に、取り付け部材２２は取り外される。このとき、取り付けボルト１８を緩めて、取り付け部材２２を回転軸の半径方向外側に向けてスライドさせ、取り付け部材２２を取り外した後に、取り付けボルト１８を再度締め付け直して、ブラケット１３と外側油切り１５の結合を再度確実なものとすればよい。
【００２１】
ねじ棒２３はねじ棒貫通孔２７に挿通される。ねじ棒２３には雄ねじが形成され、この雄ねじに２個のナット２４がねじ込まれる。ねじ棒２３の先端が回転軸１１の側面に押し付けられた状態で、取り付け部材２２の両側から２個のナット２４を挟みつけることにより、ねじ棒２３が取り付け部材２２に対して固定される。回転軸１１の側面にはくぼみ３０が形成されており、ねじ棒２３の先端がくぼみ３０に入り込むことにより、回転軸１１の回転を阻止することができる。
【００２２】
電動機の設置後にねじ棒２３を撤去するときは、ナット２４を緩めて、ねじ棒２３を撤去すればよい。
【００２３】
なお、電動機の設置後は、取り付け部材２２は必ずしも取り外さなくてもよく、さらに、ねじ棒２３が回転軸１１と接触する位置になければ、ねじ棒２３を撤去しなくてもよい。
【００２４】
この実施形態によれば、電動機の輸送保護のために必要な輸送保護装置を少ない材料で実現して、省資源とコスト低減を図ることができる。しかも、輸送保護装置の着脱作業も簡単である。
【００２５】
また、ブラケット１３と外側油切り１５とを結合するための取り付けボルト１８を用いて取り付け部材２２を取り付けるので、取り付け部材２２を取り付けるための余計なボルトを必要とせず、省資源となる。
【００２６】
［他の実施形態］
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００２７】
たとえば、上記実施形態では一つの電動機に２個の電動機輸送保護装置２１を取り付ける例を示したが、電動機輸送保護装置２１の数は、１個でも、３個以上でもよい。
【００２８】
また、上記実施形態では取り付け部材２２を外側油切り１５の外側端部に取り付けるものとしたが、たとえば、ブラケット１３の側面に取り付け部材２２を取り付けることもできる。
【符号の説明】
【００２９】
１１  回転軸
１２  軸受
１３  ブラケット
１４  ケーシング
１５  外側油切り
１６  取り付けボルト受容ねじ穴
１７  取り付けボルト孔
１８  取り付けボルト
２１  電動機輸送保護装置
２２  取り付け部材
２３  ねじ棒
２４  ナット（ねじ棒固定部材）
２５  第１平面部
２６  第２平面部
２７  ねじ棒貫通孔
２８  溝（スロット）
３０  くぼみ
【図１】
2014204594.tif 000003
【図２】
2014204594.tif 000004
【図３】
2014204594.tif 000005